(57)【特許請求の範囲】
【請求項１】
液透過性のトップシートと、液不透過性のバックシートと、前記トップシートと前記バックシート間の間に配置され、液体を吸収し保持する吸収体とから少なくとも構成され、着用時には背側から腹側までの長手方向に背側領域、股下領域、腹側領域を有する吸収性本体と、
前記吸収性本体の幅方向の両側に設けられた左右一対のサイドフラップ部とを備えた吸収性物品において、
前記サイドフラップ部の前記吸収性本体の幅方向の両端に設けられた左右一対の腹側ウエストフラップを更に備えており、
前記各サイドフラップ部の腹側領域には、胴回り方向に延伸された腹側延伸領域が設けられ、
前記腹側延伸領域は、前記各サイドフラップ部のみに設けられており、
前記腹側延伸領域は、腹側の端縁にまで達しており、
前記各腹側延伸領域は、前記吸収性本体と重なる領域まで延在して設けられ、
前記トップシートの前記幅方向の両端部は、前記吸収体を包み込むように折り込まれており、
前記トップシート及び前記バックシートは、前記吸収性物品における前記幅方向の中央箇所のみにおいて接合されており、
前記各サイドフラップ部の股下領域には、長手方向に伸長状態で設けられた弾性部材がそれぞれ設けられ、
前記各腹側延伸領域は、前記トップシート及び前記バックシートが接合される前記中央箇所と、最も外側に位置する前記弾性部材との間に設けられ、
前記各腹側延伸領域は、１．５〜３．０倍の範囲で延伸され、かつ、ＪＩＳ規格のＫ７１０５に準じて測定した場合、光の透過率が６１％以上であり、
前記股下領域における前記サイドフラップ部の前記吸収性本体と最も外側に位置する前記弾性部材との間には、幅方向に延伸された股下側延伸領域が設けられることを特徴とする吸収性物品。
【請求項２】
請求項１に記載の吸収性物品であって、
前記各腹側延伸領域は、前記股下領域側が腹側の端縁側より引き延ばされた際の幅寸法が大きくなるよう設けられたことを特徴とする吸収性物品。
【発明の詳細な説明】
【技術分野】
【０００１】
本発明は、オムツ等の吸収性物品に関する。
【背景技術】
【０００２】
従来、液透過性のトップシートと、液不透過性のバックシートと、吸収体とからなる吸収性本体を備えているオムツが広く知られている（例えば、特許文献１）。
【０００３】
具体的には、オムツ１００は、図１に示すように、液透過性のトップシート１０１ａと、液不透過性のバックシート１０１ｂと、シート１０１ａ、１０１ｂの間に配置される吸収体１０１ｃとからなる吸収性本体１０１を備えている。吸収体１０１ｃは、液体を吸収し、液体を保持する。
【０００４】
吸収性本体１０１は、背側Ｂａから腹側Ｆｒまでの長手方向Ｌに背側領域Ｓ１、股下領域Ｓ２、腹側領域Ｓ３を有するとともに、着用者の股下を中心に背側Ｂａから腹側Ｆｒを覆う。吸収性本体１０１の幅方向Ｗの両側には、トップシート１０１ａとバックシート１０１ｂとが延在されることによって形成された左右一対のサイドフラップ部１１０が設けられている。なお、吸収性本体１０１の幅方向Ｗとは、オムツ１００の平面視において、背側Ｂａから腹側Ｆｒまでの長手方向Ｌに対して、直交する方向である。それぞれのサイドフラップ部１１０には、長手方向Ｌに伸長状態で弾性部材１２０が設けられている。
【０００５】
一対の弾性部材１２０は、吸収性本体１０１の長手方向Ｌにストレートではなく湾曲して設けられている。これにより、一対の弾性部材１２０間の距離は、背側領域Ｓ１よりも腹側領域Ｓ３の方が広く設定されている。
【０００６】
この従来例では、着用時に着用者のそけい部に沿ってオムツ１００をフィットさせることができるため、着用性に優れていると共に、オムツ１００の腹側Ｆｒと着用者の間に空間が形成され、この空間によって尿を一時的に保持可能であり、尿漏れを極力防止できる。
【先行技術文献】
【特許文献】
【０００７】
【特許文献１】特開平１１−４７１８９号公報（２−３頁、図１）
【発明の概要】
【発明が解決しようとする課題】
【０００８】
しかしながら、従来のオムツ１００では、左右一対の弾性部材１２０の距離が背側領域Ｓ１、股下領域Ｓ２、腹側領域Ｓ３で異なるように湾曲させている。このため、トップシート１０１ａ及びバックシート１０１ｂを曲線状に切り取ってサイドフラップ部１１０（サイドフラップ部１１０Ａ）を形成する必要がある。従って、トップシート１０１ａ及びバックシート１０１ｂを曲線状に切り取る場合、資材の無駄が発生する。
【０００９】
また、弾性部材１２０を湾曲させて配置させるため、加工が複雑である。
【００１０】
そこで、本発明は、着用者にフィットさせることができるものにあって、使用資材の低減化、製造時の加工の容易化を図ることができる吸収性物品を提供することを目的とする。
【課題を解決するための手段】
【００１１】
本発明の特徴は、液透過性のトップシート（トップシート３）と、液不透過性のバックシート（バックシート４）と、前記トップシートと前記バックシート間の間に配置され、液体を吸収し保持する吸収体（吸収体５）とから少なくとも構成され、着用時には背側Ｂａから腹側Ｆｒまでの長手方向Ｌに背側領域（背側領域Ｓ１）、股下領域（股下領域Ｓ２）、腹側領域（腹側領域Ｓ３）を有する吸収性本体（吸収性本体２）と、前記吸収性本体の幅方向Ｗの両側に設けられた左右一対のサイドフラップ部（サイドフラップ部１０）とを備えた吸収性物品（例えば、オムツ１Ａ）において、前記各サイドフラップ部の腹側領域には、胴回り方向（幅方向Ｗ）に延伸された腹側延伸領域（腹側延伸領域１５）が設けられたことを要旨とする。
【００１２】
かかる特徴によれば、着用者が吸収性物品を着用した場合に、吸収性本体及び一対のサイドフラップ部の腹回りの寸法は、腹側延伸領域によって他の箇所より広くなるため、着用時に着用者のそけい部に沿って吸収性物品をフィットさせることができる。
【００１３】
これにより、吸収性物品は、着用性に優れていると共に、吸収性本体及び一対のサイドフラップ部の腹側Ｆｒと着用者の間に空間を形成し、この空間によって尿を一時的に保持可能であり、尿漏れを極力防止できる。そして、腹側延伸領域は一対のサイドフラップ部の一部を延伸させて形成するため、各サイドフラップ部の腹側Ｆｒを他の箇所よりも胴回り方向に大きく形成、つまり、腹側Ｆｒの胴回り方向の端縁を曲線状に設けなくて良い。以上より、着用時に着用者のそけい部に沿って吸収性物品をフィットさせることができ、且つ、吸収性物品の腹側Ｆｒと着用者の間に空間を形成することができるものにあって、使用資材の低減化、加工の容易化、これらに伴う低コスト化等を図ることができる。
【発明の効果】
【００１４】
本発明によれば、着用者が吸収性物品を着用した場合に、吸収性本体及び一対のサイドフラップ部の腹回りの寸法が腹側延伸領域によって他の箇所より広くなるため、着用時に着用者のそけい部に沿ってオムツをフィットさせることができる。
【００１５】
これにより、吸収性物品は、着用性に優れていると共に、吸収性本体及び一対のサイドフラップ部の腹側と着用者の間に空間を形成し、この空間によって尿を一時的に保持可能であり、尿漏れを極力防止できる。そして、腹側延伸領域は一対のサイドフラップ部の一部を延伸させて形成するため、各サイドフラップ部の腹側を他の箇所よりも胴回り方向に大きく形成、つまり、腹側の胴回り方向の端縁を曲線状に設けなくて良い。以上より、着用時に着用者のそけい部に沿って吸収性物品をフィットさせることができ、且つ、吸収性物品の腹側と着用者の間に空間を形成することができるものにあって、使用資材の低減化、加工の容易化、これらに伴う低コスト化等を図ることができる。
【図面の簡単な説明】
【００１６】
【図１】従来例のオムツの平面図である。
【図２】本発明の第１の実施形態を示し、オムツの展開状態の平面図である。
【図３】本発明の第１の実施形態を示し、図２のＡ−Ａ線断面図である。
【図４】本発明の第１の実施形態を示し、図２のＢ−Ｂ線断面図である。
【図５】本発明の第１の実施形態を示し、着用時の図２のＢ−Ｂ線に沿う断面図である。
【図６】本発明の第１の実施形態を示し、着用時の展開状態の平面図である。
【図７】本発明の第１の実施形態を示し、延伸装置の要部断面図である。
【図８】本発明の第２の実施形態に係るオムツの平面図である。
【図９】本発明の第３の実施形態に係るオムツの断面図である。
【図１０】本発明の第４の実施形態に係るオムツの断面図である。
【発明を実施するための形態】
【００１７】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（第１の実施形態）
図２〜図６は、本発明の第１実施形態に係るオムツ１Ａを示す。図２は、オムツの展開状態の平面図を示す。図３は、図２のＡ−Ａ線断面図を示す。図４は、図２のＢ−Ｂ線断面図を示す。図５は、着用状態の断面図を示す。図６は、着用状態を展開して示す平面図を示す。
【００２０】
図２に示すように、かかるオムツ１Ａでは、背側Ｂａ及び腹側Ｆｒが決められており、背側Ｂａから腹側Ｆｒに向かう長手方向Ｌに沿って順に背側領域Ｓ１と股下領域Ｓ２と腹側領域Ｓ３とが設けられている。
【００２１】
図３〜図５に示すように、吸収性物品であるオムツ１Ａは、吸収性本体２と、吸収性本体２の幅方向Ｗの両側に設けられた左右一対のサイドフラップ部１０と、一対の背側ウエストフラップ部２０と、一対の腹側ウエストフラップ部２１とを備えている。
【００２２】
具体的には、背側ウエストフラップ部２０は、一対のサイドフラップ部１０の背側Ｂａの幅方向Ｗの両端に設けられる。腹側ウエストフラップ部２１は、一対のサイドフラップ部１０の腹側Ｆｒの幅方向Ｗの両端に設けられる。
【００２３】
吸収性本体２は、液透過性のトップシート３と、液不透過性のバックシート４と、トップシート３とバックシート４の間に配置され、液体を吸収し保持する吸収体５とから少なくとも構成される。吸収性本体２は、背側Ｂａから腹側Ｆｒまでの長手方向Ｌに沿って、背側領域Ｓ１、股下領域Ｓ２、腹側領域Ｓ３を有する。吸収性本体２は、着用者の背側Ｂａと股下側と腹側Ｆｒを被う。
【００２４】
トップシート３において、幅方向Ｗの両端部は、吸収体５を包み込むように折り込まれている。トップシート３の折り込まれた箇所及び吸収体５は、バックシート４にホットメルト等の糊によって接合されている。トップシート３は、親水性不織布、織物、開口プラスチックフィルム、開口を有する疎水性不織布、又は、坪量が、１０ｇ／ｍ２であるスパンボンド法/メルトブロー法/スパンボンド法で製造された積層不織布（以下、ＳＭＳと記す）等により形成される。
【００２５】
バックシート４は、坪量が、２３．５ｇ／ｍ２である非通気性フィルムにより形成される。バックシート４は、透湿又は非透湿性フィルム、このようなフィルムに不織布を張り合わせたシート等により形成されてもよい。
【００２６】
吸収体５は、液体吸収保持性を有する積層体である。具体的には、吸収体５は、吸収性のパルプ及び高吸収性ポリマーを混合して形成される。
【００２７】
一対のサイドフラップ部１０は、吸収性本体２の幅方向Ｗの両側より延在されたバックシート４と、吸収性本体２の裏面とバックシート４とに重ねられた液不透過性の外装シート１１とから構成されている。バックシート４と外装シート１１とは、ホットメルト等の糊で接合されている。外装シート１１は、バックシート４よりも幅方向Ｗの寸法が長く形成されている。
【００２８】
各サイドフラップ部１０の股下領域Ｓ２と、股下領域Ｓ２を中心にして、背側領域Ｓ１及び腹側領域Ｓ３の一部の範囲とには、長手方向Ｌに伸長状態で４列の弾性部材１２ａ〜１２ｄが設けられている。
【００２９】
外側３列の弾性部材１２ａ〜１２ｃは、バックシート４より幅方向Ｗに長く形成された外装シート１１の両側部に設けられている。最も内側に位置する弾性部材１２ｄは、吸収性本体２の側縁と、最も外側に位置する弾性部材１２ａとのほぼ中心に配置される。弾性部材１２ｄは、外装シート１１とバックシート４との間に設けられている。各弾性部材１２ａ〜１２ｄは、例えばポリウレタン系弾性糸である。
【００３０】
各サイドフラップ部１０の腹側領域Ｓ３で、且つ、吸収性本体２と最も外側に位置する弾性部材１２ａとの間には、胴回り方向（幅方向Ｗ）に延伸された腹側延伸領域１５が設けられている。具体的には、各腹側延伸領域１５は、吸収性本体２の側縁から、サイドフラップ部１０に設けられた外側３列の弾性部材１２ａ〜１２ｃにおいて、最も吸収性本体２側に配置された弾性部材１２ｃの内側近傍との間に設けられている。
【００３１】
各腹側延伸領域１５は、延伸加工によって他の領域より低坪量化された領域である。各腹側延伸領域１５は、サイドフラップ部１０の幅方向Ｗに沿って延伸量が小さい密部（符号を付さず）と延伸量が大きい粗部（符号を付さず）とが交互に設けられている。各腹側延伸領域１５は、延伸前と比較した場合に１．５〜３．０倍の範囲で延伸されている。各腹側延伸領域１５の延伸量が、１．５倍未満であると、垂直方向において、サイドフラップ部１０の立ち上がり寸法が小さくて弾性部材１２ａ、１２ｂ、１２ｃが肌に密着しない恐れがある。又、各腹側延伸領域１５の延伸量が３．０倍を越すと、延伸によるダメージが大きくて破れや穴あき等の資材破損が発生する恐れがある。各腹側延伸領域１５の延伸量を１．５〜３．０倍の範囲にすれば、吸収性本体２と肌との間に空間、いわゆるポケットを資材破損の恐れもなく形成できる。
【００３２】
各腹側延伸領域１５は、装着時に外部から内部の排泄物が視認できる透明度を有する。つまり、各腹側延伸領域１５の透過率は、外部から内部が透過できる透過率である。光の透過率は、延伸加工によって３％以上上昇し、光の透過率が６１％以上（ＪＩＳ規格のＫ７１０５に準じて測定）であれば、外部から内部の排泄物を視認できる。
【００３３】
又、この実施形態の各腹側延伸領域１５は、吸収性本体２と最も外側に位置する弾性部材１２ａとの間のほぼ全領域に亘ってサイドフラップ部１０の幅方向Ｗに設けられている。各腹側延伸領域１５は、腹側領域Ｓ３の端縁に達するように腹側領域Ｓ３の全範囲に亘ってサイドフラップ部１０の長手方向Ｌに設けられている。各腹側延伸領域１５は、この実施形態では股下領域Ｓ２や背側領域Ｓ１にまで延在されていない。腹側延伸領域１５の具体的な作製方法については、下記に詳述する。
【００３４】
ウエストフラップ部は、一対の背側ウエストフラップ部２０と一対の腹側ウエストフラップ部２１とから構成されている。一対の背側ウエストフラップ部２０は、一対のサイドフラップ部１０の背側領域Ｓ１に一端側が固定されている。各背側ウエストフラップ部２０の先端側には、係止部２２が設けられている。
【００３５】
各係止部２２は、機械的な係止力で係止する面ファスナーや、粘着力によって係止する粘着テープである。係止部２２を面ファスナーとする場合には、腹側ウエストフラップ部２１の素材は少なくとも表面が不織布であるシート素材とされる。
【００３６】
次に、図７を用いて、腹側延伸領域１５の作製方法を簡単に説明する。図７は、延伸装置の断面図である。
【００３７】
サイドフラップ部１０は、スパイラルスプレーを用いて、感熱性接着剤（例えば、ホットメルト等。以下、ＨＭＡと記す。）を径１５ｍｍの大きさで、坪量が５ｇ／ｍ２になるように塗布して、バックシート４と、外装シート１１とを、張り合わせたものである。
【００３８】
なお、バックシート４は、坪量が、２３．５ｇ／ｍ２の非通気性フィルムである。外装シート１１は、坪量が、１３ｇ／ｍ２のＳＭＳである。
【００３９】
腹側延伸領域１５を形成する延伸装置３０は、図７に示すように、互いに対向し、且つ、噛み合い可能な一対の延伸刃列部３１を有する。各延伸刃列部３１は、刃の深さを２．５ｍｍ、一対の刃のピッチ間を１．２５ｍｍ、刃数を１７本に設定される。延伸装置３０は、延伸刃列部３１の設定温度を１００℃として延伸加工を施す。このようにして延伸することによって、腹側延伸領域１５は、延伸前と比較した場合に１．８倍に延伸できる。
【００４０】
延伸装置３０で延伸することによって、腹側延伸領域１５には延伸量が小さい密部と延伸量が大きい粗部とがサイドフラップ部１０の幅方向Ｗ（胴回り方向）に沿って、交互に設けられる。
【００４１】
延伸加工される腹側延伸領域１５の幅は、サイドフラップ部１０に弾性部材を配置した場合、幅Ｗ１（図３、６）に対して、幅Ｗ２（図５，図６）が、１．５倍〜３．０倍の範囲にあることが好ましい。
【００４２】
なお、幅Ｗ１は、幅方向Ｗに伸長した時のサイドフラップ部１０の幅が最も狭い部位における吸収性本体２の側縁から、サイドフラップ部１０に設けられた外側３列の弾性部材１２ａ〜１２ｃにおいて、最も吸収性本体２側に配置された弾性部材１２ｃの内側近傍までの幅である。つまり、幅Ｗ１は、延伸加工前の基準となるサイドフラップ部１０の幅である。
【００４３】
また、幅Ｗ２は、幅方向Ｗに伸長した時のサイドフラップ部１０の幅が最も広い部位における吸収性本体２の側縁から上記弾性部材１２ｃ側の内側近傍までの幅である。
【００４４】
なお、本実施形態のように、サイドフラップ部１０の幅が最も広い部位において、サイドフラップ部１０に弾性部材１２ｃが、設けられていない場合は、長手方向Ｌに伸びる弾性部材１２ｃの延長線を想定して、上記幅Ｗ２を求める。つまり、幅Ｗ２は、延伸加工後の基準となるサイドフラップ部１０の幅である。
【００４５】
幅Ｗ１に対して、幅Ｗ２が、１．５倍未満の場合は、延伸加工によって、低坪量化された腹側延伸領域１５の延伸量が短いため、吸収性本体２の側部からサイドフラップ部１０の弾性部材配置部分までの距離が短くなり、吸収体５から漏れ出した尿の収容空間が狭くなる。このため排泄物は、サイドフラップ部１０の弾性部材配置部分を乗り越えて、オムツ１Ａから漏れ出てしまう。
【００４６】
幅Ｗ１に対して、幅Ｗ２が、３．０倍を超える場合は、延伸加工による低坪量化された腹側延伸領域１５の延伸量が長いため、資材は、延伸によるダメージを受けやすく、破れや穴開き等の資材破損が発生する可能性が高い。その結果、資材が破損した場合には、尿が破損部から漏れ出てしまう。
【００４７】
サイドフラップ部１０に弾性部材１２ａ〜１２ｄを配置しない場合も上記と同様に、サイドフラップ部１０を幅方向Ｗに伸長した時の吸収性本体２の側縁からサイドフラップ部１０の外側縁の幅を基準として、最も広い幅が最も狭い幅の１．５倍〜３．０倍であることが上記と同じ理由により好ましい。
【００４８】
上記構成のオムツ１Ａを着用者が着用すると、各サイドフラップ部１０の外周が、各弾性部材１２ａ〜１２ｄの収縮によって着用者の足回りに密着する。又、図６に示すように、腹側延伸領域１５が形成された腹側領域Ｓ３は、延伸加工で延伸、低坪量化された距離分だけ着用時に幅方向Ｗに広がる。
【００４９】
一方、背側領域Ｓ１には延伸加工が施されていないため、背側領域Ｓ１を着用時に幅方向Ｗに伸ばしても、背側領域Ｓ１は、もともとの幅以上に広がることはない。
【００５０】
そのため、着用時には背側領域Ｓ１よりも腹側領域Ｓ３の幅が広くなった状態で体に装着される。オムツ１Ａを着用者が着用すると、弾性部材１２ａ〜１２ｄ間の距離についても同様に、背側Ｂａよりも腹側Ｆｒの弾性部材１２ａ〜１２ｄ間の距離が長くなった状態で体に装着される。
【００５１】
従って、着用時に着用者のそけい部に沿ってオムツ１Ａをフィットさせることができるため、オムツ１Ａは、着用性に優れている。
【００５２】
又、オムツ１Ａには、吸収性本体２及び一対のサイドフラップ部１０の腹側Ｆｒと着用者の間に空間、いわゆるポケットが形成される。オムツ１Ａは、ポケットによって尿を一時的に保持可能であり、尿漏れを極力防止できる。
【００５３】
そして、腹側延伸領域１５は、一対のサイドフラップ部１０の一部を延伸させて形成される。このため、オムツ１Ａの製造過程において、各サイドフラップ部１０の腹側Ｆｒを他の箇所よりも幅方向Ｗに大きく形成する必要がない。つまり、オムツ１Ａは、製造過程において、腹側Ｆｒの幅方向Ｗの端縁を曲線状に設けなくて良い。
【００５４】
以上より、着用者にフィットさせることができ、吸収性本体２の腹側Ｆｒと着用者の間に空間を形成することができるオムツ１Ａにあって、使用資材の低減化、加工の容易化、オムツ１Ａは、これらに伴う低コスト化等を図ることができる。
【００５５】
これに加えて、サイドフラップ部１０に弾性部材１２ａ、１２ｂ、１２ｃを縦直線状に配置して製造できるため、加工工程を簡素化することができる。また、サイドフラップ部１０の腹側延伸領域１５は、延伸加工によって幅方向Ｗに引き伸ばされて形成されており、延伸加工前のサイドフラップ部１０は、略直線状の材料を用いることができる。このため、オムツ１Ａの製造過程では、くり抜きによる資材の無駄を省けるとともに、加工も容易となる。
【００５６】
また、着用者の股下近くの足回りを覆う各サイドフラップ部１０は、薄く柔らかい腹側延伸領域１５であるため、オムツ１Ａは、装着違和感を低減できる。、また、オムツ１Ａは、着用者のヒップの運動に対する追従性を向上できる。また、腹側延伸領域１５は、吸収性本体２に対して垂直方向に立ち上がり易い利点がある。
【００５７】
この実施形態では、腹側延伸領域１５は、腹側Ｆｒの端縁にまで達しているが、腹側Ｆｒの端縁にまで達しないよう設けても良い。しかし、腹側延伸領域１５は、この実施形態のように腹側Ｆｒの端縁に達するまで設けた方が、着用者へのフィット性の観点で好ましい。
【００５８】
この実施形態において、各腹側延伸領域１５は、吸収性本体２と最も外側に位置する弾性部材１２ａとの間に設けられている。つまり、各腹側延伸領域１５は、吸収性本体２側縁と最も外側に位置する弾性部材１２ａとの間の幅方向Ｗに二等分する中心線より吸収性本体２側の領域に設けられているため、次のような利点もある。一対のサイドフラップ部１０に弾性部材１２ａ〜１２ｄを設けたオムツ１Ａであっても、各サイドフラップ部１０に弾性部材を直線状に設けられれば良いため、弾性部材付きオムツについても加工の容易化、これに伴う低コスト化を図ることができる。又、オムツ１Ａを着用した場合には、剛性差のある位置、つまり、吸収性本体２とサイドフラップ部１０の境界位置より曲がり始めるが、この実施形態ではこの箇所が柔軟性のある腹側延伸領域１５とされているため立ち上がり特性が良い。
【００５９】
この実施形態では、各腹側延伸領域１５は、装着時に外部から内部の排泄物が視認できる透明度を有するので、腹側延伸領域１５を通してオムツ１Ａの内部の排泄物の有無を外側から確認できる。このため、オムツ１Ａは、交換時期等を容易に判断できる。
【００６０】
この実施形態では、各腹側延伸領域１５には、サイドフラップ部１０の幅方向Ｗに沿って延伸量が小さい密部と延伸量が大きい粗部とが交互に設けられている。従って、オムツ１Ａの製造過程では、腹側延伸領域１５は、密部と粗部によって交互に折り畳まれて構成されるため、各サイドフラップ部１０の外縁は、突出せずに直線状となる。つまり、オムツ１Ａは、製造過程、製品パッケージング過程等での取り扱い性が向上する。
【００６１】
（第２の実施形態）
図８は、本発明の第２実施形態に係るオムツ１Ｂの平面図であり、オムツ１Ｂを着用するために幅を広げた状態を示している。
【００６２】
この実施形態では、腹側延伸領域１５の引き延ばされた際（着用時）の幅が、一律に同じではなく、異なるよう設けられている。
【００６３】
図８に示すように、第２実施形態に係るオムツ１Bは、腹側延伸領域１５における延伸量が第１実施形態と比べて異なっている。具体的には、オムツ１Ｂの幅方向Ｗに引き延ばされた際（着用時）の股下領域側Ｔ２の幅寸法Ｌ１が、オムツ１Ｂの幅方向Ｗに引き延ばされた際の腹側Ｆｒの端縁側Ｔ１における幅寸法Ｌ２より大きくなるよう設けられている。
【００６４】
このような幅寸法は、股下領域側Ｔ２と腹側Ｆｒの端縁側Ｔ１において、延伸加工する幅寸法自体を異ならせることにより、又は、単位長さ当たりの延伸程度を異ならせることによって作製可能である。
【００６５】
他の構成は、前記実施形態と同様であるため、図面に同一符号を付してその説明を省略する。
【００６６】
この実施形態によれば、オムツ１Ｂは、オムツ１Ｂの腹側Ｆｒと着用者の肌との間に大きな空間、いわゆるポケットを形成できるため、オムツ１Ｂは、大きな空間によって多量の尿を一時的に保持可能である。つまり、オムツ１Ｂは、排泄物の漏れをより確実に防止できる。
【００６７】
（第３実施形態）
図９は、本発明の第３実施形態に係るオムツ１Ｃの断面図である。
【００６８】
図９に示すように、この第３実施形態に係るオムツ１Ｃは、前記第１実施形態に比べて、吸収性本体２の構成と各サイドフラップ部１０の腹側延伸領域１５の構成が異なる。つまり、吸収性本体２のトップシート３とバックシート４は、オムツ１Ｃの幅方向Ｗの中央箇所のみが接合部６によって接合され、オムツ１Ｃの幅方向Ｗの両端部では接合されていない。そして、各腹側延伸領域１５は、オムツ１Ｃの平面視において、吸収性本体２と重なる領域（接合されていない箇所）まで延在して設けられている。
【００６９】
他の構成は、前記第１実施形態と同一であるため、重複説明を省略すると共に図面の同一構成箇所には同一符号を付して明確化を図る。
【００７０】
この実施形態では、各腹側延伸領域１５は、吸収性本体２と重なる領域まで延在して設けられているため、腹側延伸領域１５の幅寸法を大きく取ることができる。従って、オムツ１Ｃは、オムツ１Ｃの腹側Ｆｒに形成される空間、いわゆるポケットの深さを深くできる。
【００７１】
（第４実施形態）
図１０は本発明の第４実施形態に係るオムツ１Ｄの断面図である。
【００７２】
図１０に示すように、この第４実施形態に係るオムツ１Ｄは、前記第１実施形態に比べて、各サイドフラップ部１０の構成のみが異なる。各サイドフラップ部１０は、サイドフラップ部１０の幅方向Ｗの外側で内側フラップ部１０ａと外側フラップ部１０ｂの２つに分岐されている。内側フラップ部１０ａには、肌触りの良いシート素材が使用されている。内側フラップ部１０ａ及び外側フラップ部１０ｂの双方の先端部には、伸長状態で弾性部材１２ａ，１２ｂ，１２ｃ，１２ｅがそれぞれ設けられている。つまり、着用時には、足回りに２重にサイドフラップ部１０が密着するため、オムツ１Ｄは、横漏れをより確実に防止できる。オムツ１Ｄは、内側フラップ部１０ａが肌触りの良いシート素材であるため、肌触り性も良い。
【００７３】
他の構成は、前記第１実施形態と同一であるため、重複説明を省略すると共に図面の同一構成箇所には同一符号を付して明確化を図る。
【００７４】
第４実施形態では、内側フラップ部１０ａと外側フラップ部１０ｂの双方の先端部に弾性部材１２ａ，１２ｂ，１２ｃ，１２ｅが設けられているが、第４実施形態の変形例に係るオムツは、内側フラップ部１０ａの先端部にのみ伸長状態で弾性部材を設けても良い。これによれば、第４実施形態の変形例に係るオムツは、いわゆる内倒しの立体ギャザー構成となる。
【００７５】
（前記各実施形態の変形例等）
各実施形態の変形例に係るオムツにおいて、股下領域Ｓ２におけるサイドフラップ部１０の吸収性本体２と最も外側に位置する弾性部材１２ａとの間に股下側延伸領域を設けることができる。
【００７６】
股下側延伸領域は、サイドフラップ部１０における股下領域Ｓ２に対して幅方向Ｗに延伸することにより形成することができる。このように、股下側延伸領域を設けることにより、変形例に係るオムツは、着用される各サイドフラップ部１０の外周が、各弾性部材の収縮によって着用者の足回りに密着する。
【００７７】
また、各サイドフラップ部１０の股下領域Ｓ２の伸長可能な幅寸法が、股下側延伸領域によって股下領域Ｓ２や腹側領域Ｓ３のサイドフラップ部１０の幅寸法より大きいため、着用者の股下側に空間、いわゆるポケットができる。従って、変形例に係るオムツは、各サイドフラップ部１０に折り返しを設けることなく、又、各サイドフラップ部１０の端縁を曲線状に設けたり、各サイドフラップ部１０の幅方向Ｗの端縁の曲線状に沿って弾性部材を曲線状に設けなくても股下側にポケットを形成することができる。これにより、変形例に係るオムツの製造過程では、使用資材の低減化、加工の容易化、これに伴う低コスト化を図ることができる。
【００７８】
本発明においては、バックシート４と外装シート１１に対して腹側延伸領域１５を形成しているが、腹側延伸領域１５は、バックシート４だけを延伸加工して形成しても良い。この場合には、不織布の使用量を低減することが可能となる。
【００７９】
又、腹側延伸領域１５としては、トップシート３、バックシート４及び外装シート１１の３枚の資材の接着部分を延伸加工して形成しても良い。この場合には、吸収体５から流出した体液を親水性のトップシート３によって再度、吸収体５へ誘導することが可能となる。
【００８０】
本発明においては、一対のサイドフラップ部１０の外装シート１１に対し、バックシート４と異なる材質の液不透過性シートを積層し、外装シート１１及びこの液不透過性シートの積層部分に延伸加工を施して腹側延伸領域１５を形成しても良い。この場合には、液不透過性シートとして延伸加工に適したシート素材を用い、吸収体５下方のバックシート４として通気性フィルムやピンホール対策のための高目付きフィルム等を用いることができ、部位毎に適した資材を配置することが可能となる。
【００８１】
各実施形態では、各サイドフラップ部１０に４条の弾性部材１２ａ〜１２ｄが設けられているが、サイドフラップ部１０の側端部に１列又は２列だけ設けても良く、弾性部材の本数及び配置位置は適宜変更可能である。
【００８２】
なお、各実施形態では、本発明をオープンタイプのオムツに適用した場合を示したが、パンツタイプのオムツにも同様に適用できる。又、本発明は、オムツ以外の吸収性物品にも適用可能である。
【符号の説明】
【００８３】
Ｂａ…背側、  Ｆｒ…腹側、  Ｌ…長手方向、  Ｌ１、Ｌ２…幅寸法、  Ｓ１…背側領域、
Ｓ２…股下領域、  Ｓ３…腹側領域、  Ｗ…幅方向、  １Ａ、１Ｂ、１Ｃ、１Ｄ…オムツ、  
２…吸収性本体、  ３…トップシート、  ４…バックシート、  ５…吸収体、  ６…接合部、  １０…サイドフラップ部、  １０ａ…内側フラップ部、  １０ｂ…外側フラップ部、  １１…外装シート、  １２ａ〜１２ｄ…弾性部材、  １５…腹側延伸領域、  ２０…ウエストフラップ部、  ２１…ウエストフラップ部、  ２２…係止部、  ３０…延伸装置、  ３１…延伸刃列部
、  １００…オムツ、  １０１…吸収性本体、  １０１ａ…トップシート、  １０１ｂ…バックシート、  １０１ｃ…吸収体、  １１０…サイドフラップ部、  １１０Ａ…サイドフラップ部、  １２０…弾性部材
【図１】
0005566613.tif 000002
【図２】
0005566613.tif 000003
【図３】
0005566613.tif 000004
【図４】
0005566613.tif 000005
【図５】
0005566613.tif 000006
【図６】
0005566613.tif 000007
【図７】
0005566613.tif 000008
【図８】
0005566613.tif 000009
【図９】
0005566613.tif 000010
【図１０】
0005566613.tif 000011